(57)【要約】【課題】バスケット体を集塵室に装着したときに、集塵袋が正規の位置に挿入される使い勝手のよい電気掃除機を提供すること。【解決手段】吸引風を発する電動送風機２および集塵室３を内蔵する掃除機本体１と、集塵室３に着脱自在に装着され塵埃を捕集する集塵袋５を装着可能なバスケット体６と、集塵室３の吸気部に集塵袋５の口枠７と密着し空気漏れを防止するパッキン８とを備え、バスケット体６は、下部に集塵袋５の口枠７を係止する係止部１６を有することにより、集塵室３にバスケット体６を装着するときに、パッキン８と集塵袋５の口枠７の擦れが生じても、バスケット体６が集塵袋５を係止するため、集塵袋５が浮き上がるのを防止でき、正規の位置に挿入される使い勝手のよい電気掃除機を提供できるようになる。【選択図】図２
2010099367.tif 000002
【特許請求の範囲】
【請求項１】
吸引風を発する電動送風機および集塵室を内蔵する掃除機本体と、前記集塵室に着脱自在に装着され塵埃を捕集する集塵袋を装着可能なバスケット体と、前記集塵室の吸気部に前記集塵袋の口枠と密着し空気漏れを防止するパッキンとを備え、前記バスケット体は、下部に前記集塵袋の口枠を係止する係止部を有する電気掃除機。
【請求項２】
係止部は、パッキンに対して集塵袋の口枠の裏側から保持するように形成された請求項１記載の電気掃除機。
【請求項３】
バスケット体は、集塵室からの取り出し用の回動自在のハンドルを有し、係止部は前記ハンドルの回動と連動して口枠の係止及び係止の解除を行うようにした請求項１または２に記載の電気掃除機。
【請求項４】
集塵袋は、口枠に設けた塵埃の流入口を閉じて、集塵した塵埃のこぼれを防止するためのシャッターを有し、前記シャッターは、前記流入口の下方に収納された状態から上方に引き上げることで前記流入口を閉じる構成とした請求項１〜３のいずれか１項に記載の電気掃除機。
【発明の詳細な説明】
【技術分野】
【０００１】
本発明は集塵袋を収納するバスケト体を備えた電気掃除機に関するものである。
【背景技術】
【０００２】
従来の電気掃除機の掃除機本体１は、吸引風を発生させる電動送風機２と集塵室３を内蔵し、集塵室３を開閉自在に覆う集塵蓋４を備えている。集塵室３内部には塵埃を捕集する集塵袋５を装着する為のバスケット体６が着脱自在に設けられており、集塵袋５を掃除機本体１に装着させる際には、バスケット体６の上方から集塵袋５の口枠７をバスケット体６に挿入した状態で、集塵室３にバスケット体６を装着していた（例えば、特許文献１参照）。
【特許文献１】特開２００５−２３７４０７号公報
【発明の開示】
【発明が解決しようとする課題】
【０００３】
しかしながら、前記従来の構成では、バスケット体を集塵室に装着する際、集塵室の吸気部に集塵袋の口枠と密着し空気漏れを防止するパッキンと、集塵袋の口枠が先当たりして擦れ、バスケット体は集塵室の底部まで装着しても、集塵袋だけが正規の位置よりも浮き上がった状態で装着されることがあった。
【０００４】
この状態で集塵蓋を閉めようとしても、集塵蓋の口枠保持部が集塵袋の口枠と干渉するため、集塵蓋が閉まらないという課題を有していた。
【０００５】
本発明は、前記従来の課題を解決するもので、バスケット体を装着したときに集塵袋が正規の位置に挿入される使い勝手のよい電気掃除機を提供することを目的とする。
【課題を解決するための手段】
【０００６】
前記従来の課題を解決するために、本発明の電気掃除機は、吸引風を発する電動送風機および集塵室を内蔵する掃除機本体と、前記集塵室に着脱自在に装着され塵埃を捕集する集塵袋を装着可能なバスケット体と、前記集塵室の吸気部に前記集塵袋の口枠と密着し空気漏れを防止するパッキンとを備え、前記バスケット体は、下部に前記集塵袋の口枠を係止する係止部を有するもので、前記集塵袋を前記バスケット体に挿入したときに、前記集塵袋の口枠の切り欠き部を前記係止部が係止するようにしたものである。
【０００７】
これによって、前記集塵室に前記バスケット体を装着するときに、前記パッキンと前記集塵袋の口枠の擦れが生じても、バスケット体が集塵袋を係止するため、集塵袋が浮き上がるのを防止できる。
【発明の効果】
【０００８】
本発明の電気掃除機は、バスケット体を集塵室に挿入する際に、集塵袋が浮き上がるのを防止し、面倒な操作なく正規の位置に容易に集塵袋を装着できる、使い勝手のよい電気掃除機を提供することができる。
【発明を実施するための最良の形態】
【０００９】
第１の発明は、吸引風を発する電動送風機および集塵室を内蔵する掃除機本体と、前記集塵室に着脱自在に装着され塵埃を捕集する集塵袋を装着可能なバスケット体と、前記集塵室の吸気部に前記集塵袋の口枠と密着し空気漏れを防止するパッキンとを備え、前記バスケット体は、下部に前記集塵袋の口枠を係止する係止部を有するもので、前記集塵室に前記バスケット体を装着する時に、前記パッキンと前記集塵袋の口枠の擦れが生じても、バスケット体が集塵袋を係止するため集塵袋が浮き上がるのを防止できる。
【００１０】
第２の発明は、第１の発明の電気掃除機のバスケット体の係止部は、パッキンに対して集塵袋の口枠の裏側から保持するように形成されたもので、集塵体を装着したバスケット体を集塵室に挿入したとき、口枠の裏側から係止部が保持することで、集塵体がパッキンに押し付けられ、集塵体とパッキンの気密性が増す。また、バスケット体を集塵室から取り出し集塵体を着脱する際には、口枠の表側が保持されていないため、容易に着脱ができる。
【００１１】
第３の発明は、第１または第２の発明の電気掃除機のバスケット体は、集塵室からの取り出し用の回動自在のハンドルを有し、係止部は前記ハンドルの回動と連動して口枠の係止及び係止の解除を行うようにしたもので、前記ハンドルを回動させて集塵体の着脱をするときには係止部が解除され、ハンドルを戻してバスケット体を集塵室に挿入するときには係止されるため、使用者が意図しなくても集塵体の係止及び係止の解除を適切に行うことができる。
【００１２】
第４の発明は、第１〜３のいずれか１つの発明の電気掃除機の集塵袋は、口枠に設けた塵埃の流入口を閉じて、集塵した塵埃のこぼれを防止するためのシャッターを有し、前記シャッターは、前記流入口の下方に収納された状態から上方に引き上げることで前記流入口を閉じる構成としたもので、前記シャッターを上方に引き上げる際に集塵体が浮き上がって集塵した塵埃のこぼれを防止できる。また口枠の下部のみが係止部で保持されているので、口枠の上部にあるシャッターを引き上げるつまみが操作しやすい。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における電気掃除機の全体斜視図、図２は同電気掃除機の掃除機本体の断面図を示す。
【００１５】
図１および図２において、掃除機本体１は、吸引風を発生させる電動送風機２と、電動送風機２の吸引風の上流側には集塵室３を有し、集塵室３を開閉自在に覆う集塵蓋４を設けている。さらに集塵室３の上流側には、ホース１０２の一端が接続され、そのホース１０２の他端には延長管１０３を介して床用吸い込み口１０４が接続されている。また集塵室内には、塵埃を捕集する集塵袋５が装着可能なバスケット体６が着脱自在に設けられている。集塵室３の吸気部には、集塵袋５の口枠７と密着し空気漏れを防止するパッキン８を備えている。
【００１６】
次に図３〜図５を用いてバスケット体６と集塵袋５の詳細について説明する。
【００１７】
図３はバスケット体６の正面図、図４は集塵体９を挿入したバスケット体６の断面図、図５は集塵袋５を挿入したバスケット体６の斜視図、図６は集塵袋５のシャッター１０を引き上げた様子を表すバスケット体６の斜視図を示す。
【００１８】
バスケット体６は、前壁部１１と、集塵袋５を乗せる底壁部１２と、側壁部１３および後壁部１４から構成されている。また、底壁部１２、側壁部１３、後壁部１４には吸引風を通過させるための孔を設けてある。さらに、前壁部１１は、Ｌ字状の溝部１５を有しており、その溝部１５にバスケット体６の上方から集塵袋５の口枠７を挿入し装着可能である。
【００１９】
バスケット体６の前壁部１１の下部近傍には、係止部１６が設けられており、集塵袋５の口枠７がＬ字状の溝部１５の最底部まで挿入されたとき、集塵袋５の口枠７の切り欠き部１７を係止する。また、係止部１６は、集塵袋５の口枠７の裏側から保持するように形成されている。
【００２０】
バスケット体６は、左右の側壁部１３に取り付けられた回動自在のハンドル部１８を有し、バスケット体の略重心位置の上方に握り部１９を備えている。
【００２１】
集塵袋５は、口枠７に設けた塵埃の流入口を閉じ、集塵した塵埃のこぼれを防止するシャッター１０を備えている。シャッター１０は、前記流入口の下方に収納された状態から、口枠７の上方に設置されたつまみ２０を上方に引き上げることで流入口を閉じる構成となっている。
【００２２】
以上のように構成された電気掃除機について、以下その動作、作用を説明する。
【００２３】
バスケット体６に集塵袋５を挿入する際、集塵袋５の口枠７をＬ字状の溝部１５の最底部まで挿入することで、集塵袋５の口枠７の切り欠き部１７が、バスケット体６の係止部１６を乗り越え、係止される。係止部１６は、口枠７の裏側からのみ保持するよう形成されているため、挿入時の抵抗が少なく容易に装着することができる。集塵袋５を装着したバスケット体６を掃除機本体１の集塵室３に挿入すると、集塵室３の吸気部に設けられたパッキン８が集塵袋５の口枠７に当たり、集塵袋５を上方へ浮き上がらせようと摩擦力を加えるが、集塵袋５はバスケット体６の係止部１６で係止されているため、浮き上がることなく、正規の位置まで挿入される。この効果により、集塵蓋４の口枠保持部２１が集塵袋５の口枠７と干渉することなく、集塵蓋４を閉めることができ、使い勝手が良い。
【００２４】
また、集塵袋５が集塵室３に挿入されたとき、バスケット体６の係止部１６が集塵袋５の口枠７の裏側を保持するため、口枠７がパッキン８に押し付けられ、口枠７とパッキン８の気密性が増し、集塵袋５とパッキン８の間でのごみ漏れを防止することができる。
【００２５】
集塵袋５がごみで満杯になり、バスケット体６から集塵袋５を捨てる際には、まず口枠７の上方に設置されたつまみ２０を上方に引き上げ、集塵した塵埃のこぼれを防止するが、このときにも、口枠７がバスケット体６の係止部１６で係止されているため、つまみ２０を引き上げたときに集塵袋５ごと上方に引き上げられて、口枠７に設けた塵埃の流入口から不意に塵埃がこぼれるという事態を無意識に防止することができる。また、口枠７を係止しているのが口枠７の下部のみであり、口枠７のつまみ２０近傍が固定されていないため、つまみ２０を掴んでシャッター１０を引き出す動作がやり易く使い勝手が良い。
【００２６】
バスケット体６を集塵室３から取り出し、集塵袋５を交換するときにも、バスケット体６の係止部１６は、口枠７の裏側からのみ保持するよう形成されているため、集塵袋５の口枠７の切り欠き部１７がバスケット体６の係止部１６を乗り越える時の抵抗が少なく、容易に取り出すことができる。
【００２７】
（実施の形態２）
図７は、本発明の第２の実施の形態の電気掃除機のバスケット体６の断面図、図８は、同電気掃除機のバスケット体６のハンドル１８を回動した様子を示す断面図である。
【００２８】
図７のバスケット体６は、左右の側壁部１３に取り付けられた回動自在のハンドル１９が、バスケット体６の係止部１６と連結しており、ハンドル１８を回動させることで、口枠７の係止及び係止の解除を行うことができる。
【００２９】
この構成によると、集塵袋５をバスケット体６に着脱する際に邪魔となるハンドル１８を回動させることで無意識に口枠７の係止が解除され、集塵袋５の挿入が容易に行える。一方、バスケット体６を集塵室３に挿入したり、ごみで満杯となった集塵袋５の口枠７のシャッター１０を引き出したりするときには、ハンドル１８の握り部１９が略重心位置の上方に位置しており、口枠７が係止されているため、不用意に集塵袋５が浮き上がることがなく、使い勝手が良い。
【産業上の利用可能性】
【００３０】
以上のように、本発明にかかる電気掃除機は、バスケット体に集塵体の下部が係止されているため、バスケット体を集塵室に挿入する際に、集塵袋が浮き上がらず、面倒な操作なく正規の位置に容易に集塵袋を装着できるため、特に家庭、業務用等の電気掃除機に有用である。
【図面の簡単な説明】
【００３１】
【図１】本発明の実施の形態１における電気掃除機の全体斜視図
【図２】同、電気掃除機の掃除機本体の断面図
【図３】同、電気掃除機のバスケット体の正面図
【図４】同、バスケット体の断面図
【図５】同、バスケット体の斜視図
【図６】同、バスケット体のシャッターを引き上げた状態の斜視図
【図７】本発明の実施の形態２における電気掃除機のバスケット体の断面図
【図８】同電気掃除機のバスケット体のハンドルを回動させた状態の断面図
【符号の説明】
【００３２】
１    掃除機本体
２    電動送風機
３    集塵室
４    集塵蓋
５    集塵袋
６    バスケット体
７    口枠
８    パッキン
１０  シャッター
１１  前壁部
１２  底壁部
１３  側壁部
１４  後壁部
１５  溝部
１６  係止部
１７  切り欠き部
１８  ハンドル部
１９  握り部
２０  つまみ
【図１】
2010099367.tif 000003
【図２】
2010099367.tif 000004
【図３】
2010099367.tif 000005
【図４】
2010099367.tif 000006
【図５】
2010099367.tif 000007
【図６】
2010099367.tif 000008
【図７】
2010099367.tif 000009
【図８】
2010099367.tif 000010